(57)【要約】      （修正有）【課題】ユーザの身体の状態に応じて位置を変更できる補助ソールを含み、ユーザが歩く際に伸張／圧縮されるコイルばねを用いて電気を生成できる靴底を提供する。【解決手段】機能性靴底に関し、該機能性靴底は、筋骨格障害を有する患者のリハビリテーション、傷害防止及び治療を補助するためのばねを底部に備え、後部に可動補助ソールを有し、また電気を生成できる。この靴底はリアミッドソール１００ｂの底部を通る間に所定の間隙を有して形成された複数の孔１２１と、複数の連結位置を提供するために各孔１２１の周りに形成された複数の溝１２２とを有する。連結用支持体１２０は、コイルばね２２０の上端部に接続され、溝１２２に対応する突出部２３１と中央の雌ねじ部２３２とを有するコネクタ２３０を含み、ここで連結用支持体１２０に連結されるコネクタ２３０の連結位置は変化する。【選択図】図２
2017144211.tif 000002
【特許請求の範囲】
【請求項１】
フロントアウトソールが軟質フロントミッドソールの底部に配置され、
硬質リアミッドソールが前記フロントミッドソールと結合され、
地面と接触するリアアウトソールはコイルばねによって前記リアミッドソールの底部に連結されて補助ソールを構成する機能性靴底であって
前記靴底は：
前記リアミッドソールの前記底部を通る、間に所定の間隙を有して形成された複数の孔と、複数の連結位置を提供するために各前記孔の周りに形成された複数の溝とを有する連結用支持体；
前記コイルばねの上端部に接続され、前記溝に対応する突出部と中央の雌ねじ部とを有するコネクタを備え、
前記連結用支持体に連結される前記コネクタの連結位置は変化する、前記機能性靴底。
【請求項２】
前記連結用支持体と前記コネクタとの間に配置された補助支持体をさらに備える、請求項１に記載の機能性靴底。
【請求項３】
ユーザが歩く際に圧縮及び伸張される前記コイルばねの垂直変位を用いて電気を生成する電気生成モジュールをさらに備える、請求項１又は２に記載の機能性靴底。
【請求項４】
前記電気生成モジュールは：
上下に運動するように前記リアアウトソールに接続されたロッド；
前記コネクタ又は前記補助支持体に配置され、前記ロッドの運動に応答して電気を生成する電気生成ユニット；及び
生成された電気を保持するバッテリ
を含む、請求項３に記載の機能性靴底。
【請求項５】
前記バッテリ内の電気を靴又はクロースに供給するための出力端子をさらに備える、請求項４に記載の機能性靴底。
【請求項６】
前記電気生成ユニットは、圧電タイプ又は機械タイプとして構成される、請求項４に記載の機能性靴底。
【請求項７】
前記コイルばねを覆うカバーが、前記リアアウトソールの頂部に連結される、請求項３に記載の機能性靴底。
【発明の詳細な説明】
【技術分野】
【０００１】
（関連出願の相互参照）
本出願は、２０１６年２月１７日に出願された韓国特許出願第１０−２０１６−００１８１７５号に対する優先権を主張するものであり、上記出願の内容全体は、この参照によってあらゆる目的のために本出願に組み込まれる。
本発明は、靴、より詳細には機能性靴底に関し、該機能性靴底は、筋骨格障害を有する患者（musculoskeletal patients）のリハビリテーション、傷害防止及び治療を補助するためのばねを底部に備え、後部に可動補助ソールを有し、また電気を生成することができる。
【背景技術】
【０００２】
通常生活において必需品である靴は、特定の用途のためにより有効に設計されており、又は単に足を保護するというコンセプトを超える様々な補助機能を提供するよう開発されている。様々な運動靴又は医療用靴が市場に参入しており、本出願人による「歩行矯正用靴底」と題する日本の特許第５００８９９５号Ｂは、このような靴のうちの１つである。
【０００３】
図１は、関連技術における、歩き方を矯正するための靴底の主な構成を示す分解斜視図である。
【０００４】
関連技術における靴底は、図示したように、メインソール１００、補助ソール２００及び連結用支持体を含み、アッパー４００はメインソール１００を覆うように連結され、これによって靴が構成される。特に、メインソール１００は、フロントミッドソール１１０とリアミッドソール１２０とに分割され、これらは互いに結合される。フロントミッドソールは軟質材料で作製され、リアミッドソールは硬質材料で作製される。補助ソール２００はリアミッドソールに連結され、この目的のために、平坦な連結用支持体がリアミッドソールの底部に配置され、接続用部材が補助ソールに含まれるコイルばねの上端部に連結される。リアミッドソール及び補助ソールは、間に接続用部材を有するボルトによって連結され、ここで接続用部材は、射出成形によってコイルばねの上端部に一体として形成される。
【０００５】
この靴底は、特定の目的を有する靴のために設計されているため、ユーザに対してより有効かつより好適に使用されるべきである。
【０００６】
以上は本発明の背景の理解を助けることを意図しているにすぎず、本発明が当業者に既知の関連技術の範囲内にあることを意味するわけではない。
【先行技術文献】
【特許文献】
【０００７】
【特許文献１】韓国特許第１０−０７６６２１７号
【発明の概要】
【発明が解決しようとする課題】
【０００８】
本発明の目的は、ユーザの身体の状態（physical conditions）に応じて位置を変更できる補助ソールを含み、ユーザが歩く際に伸張／圧縮されるコイルばねを用いて電気を生成できる靴底を提供することである。
【課題を解決するための手段】
【０００９】
本発明の一態様によると、上記の目的を達成するために、機能性靴底が提供され、この機能性靴底では、フロントアウトソールが軟質フロントミッドソールの底部に配置され、硬質リアミッドソールがフロントミッドソールと結合され、地面と接触するリアアウトソールはコイルばねによってリアミッドソールの底部に連結されて補助ソールを構成する。この靴底は：リアミッドソールの底部を通る、間に所定の間隙を有して形成された複数の孔と、複数の連結位置を提供するために各孔の周りに形成された複数の溝とを有する、連結用支持体；コイルばねの上端部に接続され、上記溝に対応する突出部と中央の雌ねじ部とを有する、コネクタを含み、ここで上記連結用支持体に連結される上記コネクタの連結位置は変化する。
【００１０】
機能性靴底は、さらに、連結用支持体とコネクタとの間に配置された補助支持体を含んでもよい。
【００１１】
機能性靴底は、さらに、ユーザが歩く際に圧縮及び伸張されるコイルばねの垂直変位を用いて電気を生成する電気生成モジュールを含んでもよい。
【００１２】
電気生成モジュールは：上下に運動するようにリアアウトソールに接続されたロッド；コネクタ又は補助支持体に配置され、ロッドの運動に応答して電気を生成する電気生成ユニット；及び生成された電気を保持するバッテリを含んでもよい。
【００１３】
機能性靴底は、さらに、バッテリ内の電気を靴又はクロースに供給するための出力端子を含んでもよい。
【００１４】
電気生成ユニットは、圧電タイプ又は機械タイプとして構成してもよい。
【００１５】
コイルばねを覆うカバーを、リアアウトソールの頂部に連結してもよい。
【００１６】
本発明の靴底によると、ユーザは靴を履く際に、ユーザの身体の状態又は歩行挙動に応じて補助ソールの位置を変更でき、これにより、ユーザの身体には負担がかからない。
【００１７】
さらに、ユーザが歩く際、コイルばねの垂直運動によって電気が生成され、インソール又はクロースに電気が供給されるため、この靴底は、様々な目的のために、例えば熱を生成する又はＬＥＤを点灯させるために使用できる。
【００１８】
本発明の上述の及び他の目的、特徴及び他の利点は、添付の図面と併せて、以下の詳細な説明からより明白に理解されるだろう。
【図面の簡単な説明】
【００１９】
【図１】関連技術における、歩き方を矯正するための靴底の主な構成を示す分解斜視図である。
【図２】本発明のある実施形態による靴底を概略的に示す図である。
【図３】補助ソールの使用例を示す図である。
【図４】カバーが補助ソールに連結される場合の分解斜視図である。
【図５】カバーが連結された状態の使用例を示す図である。
【図６】電気生成のコンセプトを示す図である。
【図７】電気生成ユニットとして圧電素子を用いる場合の図である。
【図８】電気生成ユニットが機械タイプとして実装される場合の図である。
【図９】図８に示した電気生成ユニットが補助ソールに連結される場合の図である。
【発明を実施するための形態】
【００２０】
以下、添付の図面を参照しながら、本発明による靴底を説明する。図は本発明の理解を助けるために提供され、従って本発明の精神に基づいて修正された実施形態は、本発明の範囲に含まれると理解されるものとする。
【００２１】
図２は、本発明のある実施形態による靴底を概略的に示す図である。図３は、補助ソールの使用例を示す図である。図４は、カバーが補助ソールに連結される場合の分解斜視図である。図５は、カバーが連結された状態の使用例を示す図である。図６は、電気生成のコンセプトを示す図である。図７は、電気生成ユニットとして圧電素子を用いる場合の図である。図８は、電気生成ユニットが機械タイプとして実装される場合の図である。図９は、図８に示した電気生成ユニットが補助ソールに連結される場合の図である。
【００２２】
本発明による靴底は、図示したように、メインソール１００及び補助ソール２００を含む。フロントアウトソール１１０は軟質フロントミッドソール１００ａの底部に配置され、硬質リアミッドソール１００ｂはフロントミッドソール１００ａに結合され、地面に接触するリアアウトソール２１０はリアミッドソール１００ｂの底部に連結される。特に、コイルばね２２０を有する補助ソール２００はリアアウトソール２１０に着脱可能に連結される。すなわち、補助ソール２００をリアミッドソール１００ｂに分離可能に連結できる。
【００２３】
連結用支持体１２０は、特に複数の連結位置を提供するように、硬質材料製のリアミッドソール１００ｂの底部に配置される。この目的のために、複数の孔１２１が、間に所定の間隙を有して、連結用支持体１２０を通るように形成され、複数の溝１２２が各孔１２１の周りに形成される。
【００２４】
補助ソール２００は連結用支持体１２０に連結され、すなわち補助ソール２００は連結用支持体１２０上の連結位置のうちの所望の１つに連結してよい。ユーザは、ユーザの身体に負担がかからないように、ユーザの身体の状態を考慮して、補助ソール２００の連結位置を調整できる。
【００２５】
補助ソール２００は、リアアウトソール２１０及びリアアウトソール２１０上のコイルばねを含み、コネクタ２３０は、コイルばね２２０の上端部に固定される。
【００２６】
コネクタ２３０は、詳細には、連結用支持体１２０の溝１２２に対応する突出部２３１と、中央の雌ねじ部２３２とを有する。突出部２３１が溝１２２内に嵌合すると、孔１２１及び雌ねじ部２３２は位置合わせされ、これによってこれらをボルトで連結できる。
【００２７】
補助支持体１３０をさらに、連結用支持体１２０とコネクタ２３０との間に設けてもよい。すなわち、必要に応じて、補助支持体１３０を、連結用支持体１２０とコネクタ２３０との間で用いて、高さを調整可能である。補助支持体１３０は、連結用支持体１２０及びコネクタ２３０の形状に対応する。したがって、本明細書ではこれについて説明しない。
【００２８】
図６〜９に示すように、本発明の別の重要な特徴として、ユーザが歩く際に電気を生成できる電気生成モジュール３００をさらに含んでもよい。
【００２９】
本発明による靴底は、リアアウトソール２１０とリアアウトソール２１０に連結されたコイルばね２２０とを有する補助ソール２００を含むため、コイルばね２２０はユーザが歩く際に圧縮と伸張とを繰り返す。
【００３０】
コイルばね２２０が圧縮され、続いて伸張されると、コイルばね２２０は反復垂直変位を有する。従って本発明は、垂直変位を用いて電気を生成する電気生成モジュール３００を含む。
【００３１】
図示したように、コイルばね２２０の垂直変位を最大化できるため、円錐形コイルばね２２０を本発明において使用する。円錐形コイルばねは、円筒形コイルばねより大きな垂直変位を有するため、これはより有利である。すなわち、円錐形コイルばねは、より効果的に衝撃を吸収でき、垂直変位を用いた電気生成における利点を提供できる。
【００３２】
詳細には、電気生成モジュール３００は主として、ロッド３１０、電気生成ユニット３２０及びバッテリ３３０を含んでよく、ここでロッド３１０は、上／下に運動するようにリアアウトソール２１０に接続された長いバーである。
【００３３】
電気生成ユニット３２０は、コネクタ２３０又は補助支持体１３０に配置してよく、ロッド３１０の運動に応答して電気を生成する。
【００３４】
電気生成モジュール３００は、その中にバッテリ３３０を有してよく、電気生成ユニット３２０によって生成される電気を保持でき、電気生成ユニット３２０が充電式バッテリとして配置されるコネクタ２３０又は補助支持体１３０内に配置してよい。
【００３５】
電気生成モジュール３００は、バッテリ３３０内に保持された電気を使用するために、バッテリ３３０に接続された出力端子３３１を有し、電気は出力端子３３１を通して靴又はクロースに供給できる。加熱インソールは、靴のインソールに電気を供給することにより達成してよい。このような加熱インソールは、中に加熱プレートを有し、電気を用いて熱を生成するため、防寒靴のために使用してよい。クロースもまた加熱部材及びＬＥＤを有し、これにより電気を用いて熱を生成するクロース又は安全のためにＬＥＤを点灯／消灯するクロースを提供できる。
【００３６】
ロッド３１０の運動に応答して電気を生成する電気生成ユニット３２０は、圧電タイプ又は機械タイプとして構成してよく、これらがコイルばね２２０の垂直変位を用いて直接的又は間接的に電気を生成できる限り、いずれのタイプも利用可能である。
【００３７】
圧電タイプは、ロッド３１０が圧電素子３２０ａを押圧した際に電気が生成されるように、コネクタ２３０又は補助支持体１３０内に圧電素子３２０ａを提供するものである。
【００３８】
電気生成ユニット３２０が機械タイプとして構成される場合を、詳細な実施形態を通して詳細に説明する。
【００３９】
コイルばね２２０が垂直に伸張及び圧縮されると、ロッド３１０も上下に運動するため、ロッド３１０の運動によってトルクが生成され、これによって電気が生成される。
【００４０】
上述のように、ロッド３１０の下端部は、リアアウトソール２１０上に固定されるか又はリアアウトソール２１０上で回転し、リンク３４０の第１の端部はロッド３１０の上端部に接続され、リンク３４０の第２の端部はロータリホイール３５０の側部に偏心して接続される。
【００４１】
この構造によると、ロッド３１０が上下に運動する際、リンク３４０に力が伝達され、リンク３４０と接続されるロータリホイール３５０は回転し、これにより電気を生成するためのトルクを生成できる。
【００４２】
ロータリホイール３５０は、ギヤであってよく、電気生成のための適切な回転比を達成するために、複数のギヤを接続してよい。トルクを用いた電気生成の原理は当該技術においてよく知られているため、本明細書においては詳述しない。
【００４３】
ユーザが歩く際に生成されるコイルばね２２０の垂直変位から変換されたトルクによって生成される電気は、バッテリ３３０内に保持される。
【００４４】
垂直変位は、靴のユーザの体重に左右されるため、ロッド３１０の長さを調整してよい。
【００４５】
この目的のために、ロッド３１０は、ロッド３１０の全長を調整できるように互いに対してねじ留めされる、第１のロッド３１０ａと第２のロッド３１０ｂとからなってよい。この構成によると、ロッド３１０の長さを必要に応じて増大又は低減でき、様々なケースに使用できる。
【００４６】
図４及び５に示すように、外側の審美的外観を考慮して、カバー４００を補助ソール２００と結合してよい。
【００４７】
すなわち、補助ソール２００は、コイルばね２２０、ロッド３１０及びコネクタ２３０を含むため、これらの構成部品は外部に曝され、従ってこれらは損傷し得る又は消費者に悪い印象を与え得る。
【００４８】
従って、カバー４００は、コイルばね２２０を覆うために設けられ、カバー４００は土、埃又は水の浸透を防止できる。
【００４９】
上述のように、本発明による靴底によると、コイルばねを含む補助ソールの連結位置を適切に調整できるため、ユーザは必要に応じて、補助ソールの位置を変えることにより、状況に応じて靴をユーザの足に最適にフィットさせることができる。
【００５０】
さらに、本発明の靴底は、ユーザが歩く際に圧縮及び伸張するコイルばねを用いて電気を生成できるため、靴の付加価値を高めることができる。
【００５１】
ユーザが歩く際に生成される電気は、加熱インソールを達成するために供給でき、加熱部材又はクロース上のＬＥＤを動作させるために使用してよい。さらに、電気は環境に優しいタイプで生成され、携帯電話の充電等の様々な目的に使用できる。
【００５２】
本発明の靴底を用いて、より高い付加価値及びより多い機能を有する靴を達成できる。
【００５３】
本発明の好ましい実施形態を例示目的で説明したが、当業者には、添付の請求項に開示される本発明の範囲及び精神から逸脱することなく、様々な修正、追加及び置換が可能であることが理解されるだろう。
【図１】
2017144211.tif 000003
【図２】
2017144211.tif 000004
【図３】
2017144211.tif 000005
【図４】
2017144211.tif 000006
【図５】
2017144211.tif 000007
【図６】
2017144211.tif 000008
【図７】
2017144211.tif 000009
【図８】
2017144211.tif 000010
【図９】
2017144211.tif 000011